(57)【要約】  本発明の第１の側面により、無線電気通信システムにおける無線リソースを制御する方法が提供され、本方法は、    データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、    前記高速ダウンリンクパケットアクセス接続をスタンバイ状態に維持しながら、複数の既定の一時停止期間において、該高速ダウンリンクパケットアクセス接続を一時停止するステップと、  を含む。
2007527165.tif 000002
【特許請求の範囲】
【請求項１】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、
前記高速ダウンリンクパケットアクセス接続をスタンバイ状態に維持しながら、複数の既定の一時停止期間において、該高速ダウンリンクパケットアクセス接続を一時停止するステップと、
を含むことを特徴とする、無線電気通信システムにおける無線リソースを制御する方法。
【請求項２】
データパケット転送のための高速物理ダウンリンク共有チャネル、及びアップリンク信号送信のための高速専用物理制御チャネル、を含む高速ダウンリンクパケットアクセス接続によって、データパケットを、基地局からユーザ装置へ伝達するステップと、
前記高速専用物理制御チャネルをスタンバイ状態に維持しながら、複数の既定の一時停止期間において、該高速専用物理制御チャネルの伝送を一時停止するステップと、
を含むことを特徴とする、無線電気通信システムにおける無線リソースを制御する方法。
【請求項３】
前記高速専用物理制御チャネルをスタンバイ状態に維持しながら、複数の既定の一時停止期間において、該高速専用物理制御チャネルの伝送を一時停止するステップ、
をさらに含むことを特徴とする、請求項１に記載の方法。
【請求項４】
前記高速専用物理制御チャネルをスタンバイ状態に維持しながら、複数の既定の一時停止期間において、該高速専用物理制御チャネルの受信を一時停止するステップ、
をさらに含むことを特徴とする、請求項１に記載の方法。
【請求項５】
複数の既定の一時停止期間において、アップリンクにおける、前記高速物理ダウンリンク共有チャネルの品質を特徴付けるチャネル品質指示子の伝送を一時停止するステップ、
をさらに含むことを特徴とする、請求項１に記載の方法。
【請求項６】
複数の既定の一時停止期間において、前記ユーザ装置へのデータパケットのスケジューリングを一時停止するステップ、
をさらに含むことを特徴とする、請求項１に記載の方法。
【請求項７】
前記高速物理ダウンリンク共有制御チャネルをスタンバイ状態に維持しながら、複数の既定の一時停止期間において、該高速物理ダウンリンク共有制御チャネルの受信を一時停止するステップ、
をさらに含むことを特徴とする、請求項１に記載の方法。
【請求項８】
複数の一時停止期間の時間的特徴を特徴付ける、少なくとも１つの一時停止パラメータを生成するステップと、
前記少なくとも１つの一時停止パラメータを信号送信するステップと、
前記少なくとも１つの一時停止パラメータに基づいて、前記複数の期間において、前記高速ダウンリンクパケットアクセス接続を一時停止するステップと、
をさらに含むことを特徴とする、請求項１に記載の方法。
【請求項９】
複数の一時停止期間の時間的特徴を特徴付ける、少なくとも１つの一時停止パラメータを格納するステップと、
前記高速ダウンリンクパケットアクセス接続の一時停止を起動させるために、起動信号を信号送信するステップと、
前記高速ダウンリンクパケットアクセス接続の一時停止を起動するステップと、
前記少なくとも１つの一時停止パラメータに基づいて、前記複数の期間において、前記高速ダウンリンクパケットアクセス接続を一時停止するステップと、
をさらに含むことを特徴とする、請求項１に記載の方法。
【請求項１０】
データパケット転送のための高速物理ダウンリンク共有チャネル、及びアップリンク信号送信のための高速専用物理制御チャネル、を含む高速ダウンリンクパケットアクセス接続によって、データパケットをユーザ装置へ伝達するための伝達ユニットと、
前記高速ダウンリンクパケットアクセス接続をスタンバイ状態に維持しながら、複数の既定の一時停止期間において、前記高速ダウンリンクパケットアクセス接続を一時停止するための、前記伝達ユニットに接続された接続一時停止ユニットと、
を備えることを特徴とする、無線電気通信システムの基地局。
【請求項１１】
前記接続一時停止ユニットは、前記高速専用物理制御チャネルをスタンバイ状態に維持しながら、複数の既定の一時停止期間において、該高速専用物理制御チャネルの受信を一時停止するように構成される
ことを特徴とする、請求項１０に記載の基地局。
【請求項１２】
前記接続一時停止ユニットは、複数の既定の一時停止期間において、前記ユーザ装置へのデータパケットのスケジューリングを一時停止するように構成される
ことを特徴とする、請求項１０に記載の基地局。
【請求項１３】
複数の一時停止期間の時間的特徴を特徴付ける、少なくとも１つの一時停止パラメータを生成するための、前記接続一時停止ユニットに接続された一時停止パラメータ生成ユニット
をさらに備え、前記接続一時停止ユニットは、前記少なくとも１つの一時停止パラメータに基づいて、前記複数の期間において、前記高速ダウンリンクパケットアクセス接続を一時停止するように構成される
ことを特徴とする、請求項１０に記載の基地局。
【請求項１４】
複数の一時停止期間の時間的特徴を特徴付ける、少なくとも１つの一時停止パラメータを格納するための、前記接続一時停止ユニットに接続された格納ユニット、
をさらに備え、前記接続一時停止ユニットは、受信された起動信号によって起動され、前記格納ユニットに格納された前記少なくとも１つの一時停止パラメータに基づいて、前記複数の期間において、前記高速ダウンリンクパケットアクセス接続を一時停止するように構成される
ことを特徴とする、請求項１０に記載の基地局。
【請求項１５】
前記接続一時停止ユニットは、無線ネットワークコントローラから受信された、複数の一時停止期間の時間的特徴を特徴付ける少なくとも１つの一時停止パラメータに基づいて、前記高速ダウンリンクパケットアクセス接続を一時停止するように構成される
ことを特徴とする、請求項１０に記載の基地局。
【請求項１６】
データパケット転送のための高速物理ダウンリンク共有チャネル、及びアップリンク信号送信のための高速専用物理制御チャネル、を含む高速ダウンリンクパケットアクセス接続によって、データパケットを基地局から伝達するための伝達ユニットと、
前記高速ダウンリンクパケットアクセス接続をスタンバイ状態に維持しながら、複数の既定の一時停止期間において、前記高速ダウンリンクパケットアクセス接続を一時停止するための、前記伝達ユニットに接続された接続一時停止ユニットと、
を備えることを特徴とする、無線電気通信システムのユーザ装置。
【請求項１７】
データパケット転送のための高速物理ダウンリンク共有チャネル、及びアップリンク信号送信のための高速専用物理制御チャネル、を含む高速ダウンリンクパケットアクセス接続によって、データパケットを基地局から伝達するための伝達ユニットと、
前記高速専用物理制御チャネルをスタンバイ状態に維持しながら、複数の既定の一時停止期間において、前記高速専用物理制御チャネルの伝送を一時停止するための、前記伝達ユニットに接続された接続一時停止ユニットと、
を備えることを特徴とする、無線電気通信システムのユーザ装置。
【請求項１８】
前記接続一時停止ユニットは、前記高速専用物理制御チャネルをスタンバイ状態に維持しながら、複数の既定の一時停止期間において、該高速専用物理制御チャネルの伝送を一時停止するように構成される
ことを特徴とする、請求項１６に記載のユーザ装置。
【請求項１９】
前記接続一時停止ユニットは、複数の既定の一時停止期間において、アップリンクにおける、前記高速物理ダウンリンク共有チャネルの品質を特徴付けるチャネル品質指示子の伝送を一時停止するように構成される
ことを特徴とする、請求項１６に記載のユーザ装置。
【請求項２０】
前記接続一時停止ユニットは、前記高速物理ダウンリンク共有制御チャネルをスタンバイ状態に維持しながら、複数の既定の一時停止期間において、該高速物理ダウンリンク共有制御チャネルの受信を一時停止するように構成される
ことを特徴とする、請求項１６に記載のユーザ装置。
【請求項２１】
前記伝達ユニットは、複数の一時停止期間の時間的特徴を特徴付ける、少なくとも１つの一時停止パラメータを受信するように構成され、
前記接続一時停止ユニットは、前記少なくとも１つの一時停止パラメータに基づいて、前記複数の期間において、前記高速ダウンリンクパケットアクセス接続を一時停止するように構成される
ことを特徴とする、請求項１６に記載のユーザ装置。
【請求項２２】
複数の一時停止期間の時間的特徴を特徴付ける、少なくとも１つの一時停止パラメータを格納するための、前記接続一時停止ユニットに接続された格納ユニット
をさらに含み、前記接続一時停止ユニットは、受信された起動信号によって起動され、前記格納ユニットに格納された前記少なくとも１つの一時停止パラメータに基づいて、前記複数の期間において、前記高速ダウンリンクパケットアクセス接続を一時停止するように構成される
ことを特徴とする、請求項１６に記載のユーザ装置。
【請求項２３】
前記接続一時停止ユニットは、無線ネットワークコントローラから受信された少なくとも１つの一時停止パラメータに基づいて、前記高速ダウンリンクパケットアクセス接続を一時停止するように構成される
ことを特徴とする、請求項１６に記載のユーザ装置。
【請求項２４】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達する無線電気通信システムにおける、無線リソースを制御するための無線ネットワークコントローラであって、
前記高速ダウンリンクパケットアクセス接続をスタンバイ状態に維持しながら、複数の一時停止期間の時間的特徴を特徴付ける一時停止パラメータを持つ複数の既定の一時停止期間において、前記高速ダウンリンクパケットアクセス接続の一時停止を制御するための一時停止制御ユニットと、
前記一時停止パラメータを信号送信するための、前記一時停止制御ユニットに接続された信号送信ユニットと、
を備えることを特徴とする、無線ネットワークコントローラ。
【請求項２５】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達する無線電気通信システムにおける、無線リソースを制御するための無線ネットワークコントローラであって、
前記高速専用物理制御チャネルをスタンバイ状態に維持しながら、複数の一時停止期間の時間的特徴を特徴付ける一時停止パラメータを持つ複数の既定の一時停止期間において、該高速専用物理制御チャネルの伝送の一時停止を制御するための一時停止制御ユニットと、
前記一時停止パラメータを信号送信するための、前記一時停止制御ユニットに接続された信号送信ユニットと、
を備えることを特徴とする、無線ネットワークコントローラ。
【請求項２６】
前記一時停止制御ユニットは、前記高速専用物理制御チャネルをスタンバイ状態に維持しながら、複数の既定の一時停止期間において、該高速専用物理制御チャネルの伝送の一時停止を制御するように構成される
ことを特徴とする、請求項２４に記載の無線ネットワークコントローラ。
【請求項２７】
前記一時停止制御ユニットは、前記高速専用物理制御チャネルをスタンバイ状態に維持しながら、複数の既定の一時停止期間において、該高速専用物理制御チャネルの受信の一時停止を制御するように構成される
ことを特徴とする、請求項２４に記載の無線ネットワークコントローラ。
【請求項２８】
前記一時停止制御ユニットは、複数の既定の一時停止期間において、アップリンクにおける、前記高速物理ダウンリンク共有チャネルの品質を特徴付けるチャネル品質指示子の伝送の一時停止を制御するように構成される
ことを特徴とする、請求項２４に記載の無線ネットワークコントローラ。
【請求項２９】
前記一時停止制御ユニットは、複数の既定の一時停止期間において、前記ユーザ装置へのデータパケットのスケジューリングの一時停止を制御するように構成される
ことを特徴とする、請求項２４に記載の無線ネットワークコントローラ。
【請求項３０】
前記一時停止制御ユニットは、前記高速物理ダウンリンク共有制御チャネルをスタンバイ状態に維持しながら、複数の既定の一時停止期間において、該高速物理ダウンリンク共有制御チャネルの受信の一時停止を制御するように構成される
ことを特徴とする、請求項２４に記載の無線ネットワークコントローラ。
【請求項３１】
前記一時停止制御ユニットは、複数の一時停止期間の時間的特徴を特徴付ける、少なくとも１つの一時停止パラメータを生成するように構成される
ことを特徴とする、請求項２４に記載の無線ネットワークコントローラ。
【請求項３２】
前記一時停止制御ユニットは、前記高速ダウンリンクパケットアクセス接続の一時停止を起動させるために、起動信号を生成するように構成され、
前記信号送信ユニットは、前記起動信号を伝送するように構成される
ことを特徴とする、請求項２４に記載の無線ネットワークコントローラ。
【請求項３３】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、
前記高速ダウンリンクパケットアクセス接続をスタンバイ状態にしながら、複数の既定の一時停止期間において、前記高速ダウンリンクパケットアクセス接続を一時停止するステップと、
を含むコンピュータプロセスを実施する、無線電気通信システムにおける無線リソースを制御するための、コンピュータ読み取り可能な媒体上で具現化されるコンピュータプログラム。
【請求項３４】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、
前記高速専用物理制御チャネルをスタンバイ状態に維持しながら、複数の既定の一時停止期間において、該高速専用物理制御チャネルの伝送を一時停止するステップと、
を含むコンピュータプロセスを実施する、無線電気通信システムにおける無線リソースを制御するための、コンピュータ媒体上で具現化されるコンピュータプログラム。
【請求項３５】
前記コンピュータプロセスが、
前記高速専用物理制御チャネルをスタンバイ状態に維持しながら、複数の既定の一時停止期間において、該高速専用物理制御チャネルの伝送を一時停止するステップ、
をさらに含むことを特徴とする、請求項３３に記載のコンピュータプログラム。
【請求項３６】
前記コンピュータプロセスが、
前記高速専用物理制御チャネルをスタンバイ状態に維持しながら、複数の既定の一時停止期間において、該高速専用物理制御チャネルの受信を一時停止するステップ、
をさらに含むことを特徴とする、請求項３３に記載のコンピュータプログラム。
【請求項３７】
前記コンピュータプロセスが、
複数の既定の一時停止期間において、アップリンクにおける、前記高速物理ダウンリンク共有チャネルの品質を特徴付けるチャネル品質指示子の伝送を一時停止するステップ、
をさらに含むことを特徴とする、請求項３３に記載のコンピュータプログラム。
【請求項３８】
前記コンピュータプロセスが、
複数の既定の一時停止期間において、前記ユーザ装置へのデータパケットのスケジューリングを一時停止するステップ、
をさらに含むことを特徴とする、請求項３３に記載のコンピュータプログラム。
【請求項３９】
前記コンピュータプロセスが、
前記高速物理ダウンリンク共有制御チャネルをスタンバイ状態に維持しながら、複数の既定の一時停止期間において、該高速物理ダウンリンク共有制御チャネルの受信を一時停止するステップ、
をさらに含むことを特徴とする、請求項３３に記載のコンピュータプログラム。
【請求項４０】
前記コンピュータプロセスが、
複数の一時停止期間の時間的特徴を特徴付ける、少なくとも１つの一時停止パラメータを生成するステップと、
前記少なくとも１つの一時停止パラメータを信号送信するステップと、
前記少なくとも１つの一時停止パラメータに基づいて、前記複数の期間において、前記高速ダウンリンクパケットアクセス接続を一時停止するステップと、
をさらに含むことを特徴とする、請求項３３に記載のコンピュータプログラム。
【請求項４１】
前記コンピュータプロセスが、
前記高速ダウンリンクパケットアクセス接続の一時停止を起動させるために、起動信号を信号送信するステップと、
前記高速ダウンリンクパケットアクセス接続の一時停止を起動するステップと、
前記少なくとも１つの一時停止パラメータに基づいて、前記複数の期間において、前記高速ダウンリンクパケットアクセス接続を一時停止するステップと、
をさらに含むことを特徴とする、請求項３３に記載のコンピュータプログラム。
【請求項４２】
データパケット転送のための高速物理ダウンリンク共有チャネル、及びアップリンク信号送信のための高速専用物理制御チャネル、を含む高速ダウンリンクパケットアクセス接続によって、データパケットをユーザ装置へ伝達するための伝達手段と、
前記高速ダウンリンクパケットアクセス接続をスタンバイ状態に維持しながら、複数の既定の一時停止期間において、該高速ダウンリンクパケットアクセス接続を一時停止するための、前記伝達手段に接続された一時停止手段と、
を備えることを特徴とする、無線電気通信システムの基地局。
【請求項４３】
データパケット転送のための高速物理ダウンリンク共有チャネル、及びアップリンク信号送信のための高速専用物理制御チャネル、を含む高速ダウンリンクパケットアクセス接続によって、データパケットを基地局から伝達するための伝達手段と、
前記高速ダウンリンクパケットアクセス接続をスタンバイ状態に維持しながら、複数の既定の一時停止期間において、該高速ダウンリンクパケットアクセス接続を一時停止するための、前記伝達手段に接続された一時停止手段ユニットと、
を備えることを特徴とする、無線電気通信システムのユーザ装置。
【請求項４４】
データパケット転送のための高速物理ダウンリンク共有チャネル、及びアップリンク信号送信のための高速専用物理制御チャネル、を含む高速ダウンリンクパケットアクセス接続によって、データパケットを基地局から伝達するための伝達手段と、
前記高速専用物理制御チャネルをスタンバイ状態に維持しながら、複数の既定の一時停止期間において、該高速専用物理制御チャネルの伝送を一時停止するための、前記伝達手段に接続された一時停止手段と、
を備えることを特徴とする、無線電気通信システムのユーザ装置。
【請求項４５】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達する無線電気通信システムにおける、無線リソースを制御するための無線ネットワークコントローラであって、
前記高速ダウンリンクパケットアクセス接続をスタンバイ状態に維持しながら、複数の一時停止期間の時間的特徴を特徴付ける一時停止パラメータを持つ複数の既定の一時停止期間において、該高速ダウンリンクパケットアクセス接続の一時停止を制御するための制御手段と、
前記一時停止パラメータを信号送信するための、前記制御手段に接続された信号送信手段と、
を備えることを特徴とする、無線ネットワークコントローラ。
【請求項４６】
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達する無線電気通信システムにおける、無線リソースを制御するための無線ネットワークコントローラであって、
前記高速専用物理制御チャネルをスタンバイ状態に維持しながら、複数の一時停止期間の時間的特徴を特徴付ける一時停止パラメータを持つ複数の既定の一時停止期間において、該高速専用物理制御チャネルの伝送の一時停止を制御するための制御手段と、
前記一時停止パラメータを信号送信するための、前記制御手段に接続された信号送信手段と、
を備えることを特徴とする、無線ネットワークコントローラ。
【発明の詳細な説明】
【技術分野】
【０００１】
本発明は、無線電気通信システムにおける無線リソース、無線電気通信システムにおける無線リソースを制御するための無線ネットワークコントローラ、無線電気通信システムにおける無線リソースを制御するためのコンピュータプログラム、無線電気通信システムのユーザ装置、及び無線電気通信システムの基地局、を制御する方法に関するものである。
【背景技術】
【０００２】
高速ダウンリンクパケットアクセス（ＨＳＤＰＡ）は、数メガバイト／秒〜１０メガバイト以上／秒の典型的なデータ伝送能力を持つ、ＷＣＤＭＡ（広帯域符号分割多元接続）ダウンリンクにおけるパケットベースのデータサービスである。
【０００３】
ＨＳＤＰＡ接続は、データパケット転送のための高速物理ダウンリンク共有チャネル（ＨＳ−ＰＤＳＣＨ）、及びアップリンク信号送信のための高速専用物理制御チャネル（ＨＳ−ＤＰＣＣＨ）、を含む。ＨＳ−ＰＤＳＣＨ、及びＨＳ−ＤＰＣＣＨは、ＤＰＤＣＨ（専用物理データチャネル）、及びＤＰＣＣＨ（専用物理制御チャネル）のようなＷＣＤＭＡ（広帯域符号分割多元接続）専用チャネルの上に実装され、従って、電源リソースのような共有無線リソースを、ＷＣＤＭＡ専用チャネルと共有する。無線リソースの共有は、ＨＳＤＰＡチャネル、及びＷＣＤＭＡ専用チャネルへの無線リソース割り当ての柔軟性のなさ、という結果になる。それゆえ、ＨＳＤＰＡ動作をサポートする無線電気通信システムにおける無線リソース制御について、改善が必要とされる。
【０００４】
本発明の目的は、改善された方法、ユーザ装置、基地局、無線ネットワークコントローラ、及びコンピュータプログラムを提供することである。
【０００５】
本発明の第１の側面により、無線電気通信システムにおける無線リソースを制御する方法が提供され、本方法は、
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、
前記高速ダウンリンクパケットアクセス接続をスタンバイ状態に維持しながら、複数の既定の一時停止期間において、該高速ダウンリンクパケットアクセス接続を一時停止するステップと、
を含む。
【０００６】
本発明の第２の側面により、無線電気通信システムにおける無線リソースを制御する方法が提供され、本方法は、
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達するステップと、
前記高速専用物理制御チャネルをスタンバイ状態に維持しながら、複数の既定の一時停止期間において、該高速専用物理制御チャネルの伝送を一時停止するステップと、
を含む。
【０００７】
本発明の第３の側面により、無線電気通信システムの基地局が提供され、本基地局は、
データパケット転送のための高速物理ダウンリンク共有チャネル、及びアップリンク信号送信のための高速専用物理制御チャネル、を含む高速ダウンリンクパケットアクセス接続によって、データパケットをユーザ装置へ伝達するための伝達ユニットと、
前記高速ダウンリンクパケットアクセス接続をスタンバイ状態に維持しながら、複数の既定の停止期間において、高速ダウンリンクパケットアクセス接続を一時停止するための、前記伝達ユニットに接続された接続一時停止ユニットと、
を含む。
【０００８】
本発明の第４の側面により、無線電気通信システムのユーザ装置が提供され、本ユーザ装置は、
データパケット転送のための高速物理ダウンリンク共有チャネル、及びアップリンク信号送信のための高速専用物理制御チャネル、を含む高速ダウンリンクパケットアクセス接続によって、データパケットを、基地局から伝達するための伝達ユニットと、
高速ダウンリンクパケットアクセス接続をスタンバイ状態に維持しながら、複数の既定の一時停止期間において、高速ダウンリンクパケットアクセス接続を一時停止するための、前記伝達ユニットに接続された接続一時停止ユニットと、
を含む。
【０００９】
本発明の第５の側面により、無線電気通信システムのユーザ装置が提供され、本ユーザ装置は、
データパケット転送のための高速物理ダウンリンク共有チャネル、及びアップリンク信号送信のための高速専用物理制御チャネル、を含む高速ダウンリンクパケットアクセス接続によって、データパケットを基地局から伝達するための伝達ユニットと、
前記高速専用物理制御チャネルをスタンバイ状態に維持しながら、複数の既定の一時停止期間において、該高速専用物理制御チャネルの伝送を一時停止するための、前記伝達ユニットに接続された接続一時停止ユニットと、
を含む。
【００１０】
本発明の第６の側面により、無線電気通信システムにおける無線リソースを制御するための無線ネットワークコントローラが提供され、そこでは、データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達し、
本無線ネットワークコントローラは、
前記高速ダウンリンクパケットアクセス接続をスタンバイ状態に維持しながら、複数の一時停止期間の時間的特徴を特徴付ける一時停止パラメータを持つ該複数の既定の一時停止期間において、該高速ダウンリンクパケットアクセス接続の一時停止を制御するための一時停止制御ユニットと、
前記一時停止パラメータを信号送信するための、前記一時停止制御ユニットに接続された信号送信ユニットと
を含む。
【００１１】
本発明の第７の側面により、データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置まで伝達する無線電気通信システムにおける、無線リソースを制御するための無線ネットワークコントローラが提供され、本無線ネットワークコントローラは、
前記高速専用物理制御チャネルをスタンバイ状態で維持しながら、複数の一時停止期間の時間的特徴を特徴付ける一時停止パラメータを持つ複数の既定の一時停止期間において、該高速専用物理制御チャネルの伝送の一時停止を制御するための一時停止制御ユニットと、
前記一時停止パラメータを信号送信するための、前記一時停止制御ユニットに接続された信号送信ユニットと、
を含む。
【００１２】
本発明の第８の側面により、無線電気通信システムにおける無線リソースを制御するためのコンピュータプログラムが提供され、本コンピュータプログラムは、
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へデータパケットを伝達するステップと、
前記高速ダウンリンクパケットアクセス接続をスタンバイ状態に維持しながら、複数の既定の一時停止期間において、該高速ダウンリンクパケットアクセス接続を一時停止するステップと、
を含むコンピュータプロセスを実施する。
【００１３】
本発明のさらにもう１つの側面により、無線電気通信システムにおける無線リソースを制御するためのコンピュータプログラムが提供され、本コンピュータプログラムは、
データパケット転送のための高速物理ダウンリンク共有チャネル、及びアップリンク信号送信のための高速専用物理制御チャネル、を含む高速ダウンリンクパケットアクセス接続によって、データパケットを基地局からユーザ装置へ伝達し、
前記高速専用物理制御チャネルをスタンバイ状態に維持しながら、複数の既定の一時停止期間において、該高速専用物理制御チャネルの伝送を一時停止する
コンピュータプロセスを実施する。
【００１４】
本発明の好ましい実施形態を、従属請求項で説明する。
【００１５】
本発明の方法、ユーザ装置、基地局、ネットワークコントローラ、及びコンピュータプログラムは、幾つかの利点を提供する。本発明の好ましい実施形態では、無線リソース割り当ての柔軟性が増大し、従って、基地局によって供される同時の高速ダウンリンクパケットアクセスユーザの数の増大、基地局リソースの再利用、及びＷＣＤＭＡ専用チャネルのための電源リソースの割り当て、を可能にする。
【００１６】
以下では、好ましい実施形態、及び添付図面を参照して、本発明をずっとより詳細に説明する。
【００１７】
図１は、本解決策を適用することのできる無線電気通信システムの例を示している。以下では、無線電気通信システムの例として、ＵＭＴＳ（ユニバーサル移動電気通信システム）を使って、本発明の実施形態を説明する。ネットワーク要素の構造、及び機能は、本発明に関連するとき説明されるのみである。
【００１８】
本無線電気通信システムは、コアネットワーク（ＣＮ）１００、ＵＭＴＳ地上無線アクセスネットワーク（ＵＴＲＡＮ）１０２、及びユーザ装置（ＵＥ）１０４、に分けることができる。コアネットワーク１００、及びＵＴＲＡＮ１０２は、無線電気通信システムの構造基盤を構成する。
【００１９】
ＵＴＲＡＮ１０２は、典型的には、広帯域符号分割多元接続（ＷＣＤＭＡ）無線アクセス技術によって実装される。
【００２０】
コアネットワーク１００は、ｌｕＰＳインターフェースによってＵＴＲＡＮ１０２に接続されたサービングＧＰＲＳサポートノード（ＳＧＳＮ）１０８、を含む。ＳＧＳＮ１０８は、コアネットワーク１００のパケット交換ドメインの中心点を表している。ＳＧＳＮ１０８の主なタスクは、ＵＴＲＡＮ１０２を使って、パケットをユーザ装置１０４へ伝送すること、及びユーザ装置１０４からパケットを受信すること、である。ＳＧＳＮ１０８は、ユーザ装置１０４に関連する加入者、及び位置の情報を収容することができる。
【００２１】
ＵＴＲＡＮ１０２は、無線ネットワークサブシステム（ＲＮＳ）１０６Ａ、１０６Ｂを含み、その各々は、少なくとも１つの無線ネットワークコントローラ（ＲＮＣ）１１０Ａ、１１０Ｂ、及びノードＢ  １１２Ａ、１１２Ｂ、１１２Ｃ、１１２Ｄ、を含む。
【００２２】
無線ネットワークコントローラ１１０Ａ、１１０Ｂは、ＵＴＲＡＮ１０２の無線リソースを制御する。無線ネットワークコントローラ１１０Ａ、１１０Ｂは、１又はそれ以上のノードＢ  １１２Ａ、１１２Ｂ、１１２Ｃ、１１２Ｄを制御する。無線ネットワークコントローラ１１０Ａ、１１０Ｂによって実施される機能は、ダウンリンク電源制御、ハンドオーバ管理、及び許可制御、のようなタスクを含む。無線ネットワークコントローラ１１０Ａ、１１０Ｂは、ｌｕｒインターフェースを通して、互いに通信することができる。
【００２３】
無線ネットワークコントローラ１１０Ａ、１１０Ｂの幾つかの機能は、デジタルコンピュータ、メモリ、及びコンピュータプロセスを実施するためのコンピュータプログラム、によって実装することができる。さらに、無線ネットワークコントローラ１１０Ａ、１１０Ｂは、バス、及びケーブルのような、その無線ネットワークコントローラ１１０Ａ、１１０ＢをノードＢ  １１２Ａ、１１２Ｂ、１１２Ｃ、１１２Ｄに接続するための接続手段を含むことができる。無線ネットワークコントローラ１１０Ａ、１１０Ｂの基本構造、及び動作は当業者に既知であり、本解決策に関連する詳細部分のみを詳細に論じる。
【００２４】
ＵＴＲＡＮ１０２は、ＩＰ基地局、及びＩＰサーバのような、ＩＰ（インターネットプロトコル）ベースのネットワーク要素もまた含むことができる、ということに注目すべきである。ＩＰ無線アクセスネットワークの構造は当業者には既知であり、本解決策の教示は、与えられた例からＩＰベースのシステムへ、容易に移すことができる。
【００２５】
ノードＢ  １１２Ａ、１１２Ｂ、１１２Ｃ、１１２ＤはＵｕインターフェースを実装し、それを通して、ユーザ装置１０４は、電気通信システムの基盤構造にアクセスすることができる。ノードＢ  １１２Ａ、１１２Ｂ、１１２Ｃ、１１２Ｄは、チャネル符号化、レート適応、拡散、及び基本無線リソース管理動作、のようなタスクを実施する。以後、ノードＢ  １１２Ａ、１１２Ｂ、１１２Ｃ、１１２Ｄを基地局と呼ぶ。
【００２６】
さらに、基地局１１２Ａ、１１２Ｂ、１１２Ｃ、１１２Ｄは、ＨＳＤＰＡ接続と関連付けられるタスクを担っている。そのようなタスクは、ＨＳＤＰＡデータ転送においてユーザ装置をスケジュール設定すること、ＨＡＲＱ（複合自動再送信要求）のようなデータパケット再送信手続きを実施すること、及び、適応符号化及び変調（ＡＭＣ）手続きを実施すること、を含む。
【００２７】
基地局１１２Ａ、１１２Ｂ、１１２Ｃ、１１２Ｄの幾つかの機能は、デジタルコンピュータ、メモリ、及びコンピュータプロセスを実施するためのコンピュータプログラム、によって実装することができる。さらに、基地局１１２Ａ、１１２Ｂ、１１２Ｃ、１１２Ｄは、バス、及びケーブルのような、その基地局Ｂ  １１２Ａ、１１２Ｂ、１１２Ｃ、１１２Ｄを無線ネットワークコントローラ１１０Ａ、１１０Ｂに接続するための接続手段を含むことができる。
【００２８】
基地局１１２Ａ、１１２Ｂ、１１２Ｃ、１１２Ｄの基本構造、及び動作は、当業者には既知であり、本解決策に関連する詳細部分のみを詳細に論じる。
【００２９】
ユーザ装置１０４は、移動装置（ＭＥ）１１４、及びＵＭＴＳ加入者識別モジュール（ＵＳＩＭ）１１６、という２つの部分を含むことができる。
【００３０】
移動装置１１４は、典型的には、Ｕｕインターフェースを実装するための、少なくとも１つの無線モデムを含む。
【００３１】
ユーザ装置１０４の幾つかの機能は、デジタルコンピュータ、メモリ、及びコンピュータプロセスを実施するためのコンピュータプログラム、によって実装することができる。ユーザ装置１０４はさらに、アンテナ、ユーザインターフェース、及びバッテリ、を備えることができる。
【００３２】
ＵＳＩＭ１１６は、ユーザ関連情報、及び特に、例えば暗号化アルゴリズムのような、情報セキュリティに関連する情報を含む。
【００３３】
ユーザ装置１０４の基本構造、及び動作は当業者には既知であり、本解決策に関連する詳細部分のみを詳細に論じる。
【００３４】
図２を参照すると、ＨＳＤＰＡ（高速ダウンリンクパケットアクセス）接続は、ＨＳ−ＰＤＳＣＨ（高速物理ダウンリンク共有チャネル）を含み、それは、ＨＳ−ＤＳＣＨ（高速ダウンリンク共有チャネル）のような、ＨＳＤＰＡ論理チャネルにおける伝達機構を提供する。
【００３５】
ＨＳ−ＤＳＣＨは、基地局１１２Ａ〜１１２Ｄからユーザ装置１０４へのデータ転送のための論理伝達機構を提供する。ＨＳ‐ＰＤＳＣＨは、基地局１１２Ａ〜１１２Ｄに接続された様々なユーザ装置１０６間で、時間分割、及び符号分割されることができる。
【００３６】
ＨＳＤＰＡ接続は、さらに、ＨＳ−ＤＰＣＣＨ（高速専用物理制御チャネル）を含み、それは、パケット応答メッセージ（ＡＣＫ／ＮＡＣＫ）、及びＨＳ−ＰＤＳＣＨについてのチャネル情報（ＣＱＩ）を運ぶアップリンクチャネルである。典型的には、ユーザ装置１０４において受信された各データ伝達ブロックについて、パケット応答メッセージが生成される。
【００３７】
パケット応答メッセージ（ＡＣＫ／ＮＡＣＫ）は、ユーザ装置１０４におけるデータパケットの受信の成功、又は失敗の表示を含む。受信の成功の推定は、ユーザ装置１０４において受信されたパケットについて実行されるＣＲＣ（巡回冗長検査）に基づくとすることができる。基地局１１２Ａ〜１１２ＤにおいてＨＡＲＱ手順を実施するために、パケット応答メッセージを使用する。
【００３８】
チャネル情報は、チャネル品質指示器（ＣＱＩ）によって表されることができ、それは、ＨＳ−ＰＤＳＣＨの品質を特徴付ける。ＣＱＩは、ＡＭＣ手順におけるフィードバック情報として使用される。ＣＱＩ情報が古くなった場合には、スケジューラの決定は誤ったものとなり得るであろう。ＨＳＤＰＡ接続は、典型的には、ＨＳ−ＳＣＣＨ（高速物理ダウンリンク共有制御チャネル）を含み、それは、ＨＳ−ＰＤＳＣＨと並列なダウンリンク信号送信チャネルとして働く。ＨＳ−ＳＣＣＨは、チャネル化符号セット、変調方式、転送ブロックサイズ、及びＨＡＲＱプロセス情報、のようなダウンリンク情報を、ユーザ装置１０４へ運ぶ。ダウンリンク情報は、ユーザ装置１０４が、適当な時にＨＳ−ＤＳＣＨをリッスンし、受信されたパケットの首尾良い復号を可能にする適切な符号を使用することを可能にする。
【００３９】
ＨＳＤＰＡ接続は、基地局１１２Ａ〜１１２Ｄとユーザ装置１０４との間のデータ転送能力、及び信号送信能力、を含む伝達接続である。ＨＳＤＰＡ接続は、ＷＣＤＭＡ無線アクセス技術によって提供されるＤＰＤＣＨ（専用物理データチャネル）、及びＤＰＣＣＨ（専用物理制御チャネル）、のような専用物理チャネルの上に形成される。
【００４０】
図３を参照すると、ＨＳＤＰＡ接続の時間構造３００が示されている。横軸３０２は、任意の縮尺での時間を示している。時間線は、上面から底面まで達する。
【００４１】
既定の一時停止期間３０８Ａ、３０８Ｂの間、ＨＳＤＰＡ接続は一時停止される、すなわち、ＨＳ−ＤＰＳＣＨ、ＨＳ−ＰＤＣＣＨ、ＨＳ−ＳＣＣＨ、又はそれらの組合せは動作可能ではない。しかしながら、一時停止期間３０８Ａ、３０８Ｂの間、ＨＳＤＰＡ接続はスタンバイ状態のままである、すなわち、通常、更なる遅延なく、ＨＳ−ＤＰＳＣＨ、ＨＳ−ＰＤＣＣＨ、又はＨＳ−ＳＣＣＨのいずれかの伝送の再開を可能にして、ＤＰＤＣＨ、及びＤＰＣＣＨを伝送、及び受信する。
【００４２】
一時停止期間３０８Ａ、３０８Ｂ間に、動作可能ＨＳＤＰＡ期間３０４Ａ、３０４Ｂ、３０４Ｃが存在し、その間は、データパケット転送、及び信号送信のために、ＨＳＤＰＡ接続を使用することができる。
【００４３】
一時停止期間３０８Ａ、３０８Ｂの時間的特徴は、一時停止パラメータによって特徴付けられることができる。そのようなパラメータは、例えば、一時停止期間３０８Ａ、３０８Ｂの継続時間３１０Ａ、３１０Ｂを特徴付ける一時停止継続時間パラメータ、一時停止期間３０８Ａ、３０８Ｂの出現の頻度、及び一時停止期間３０８Ａ、３０８Ｂのタイミング３１２Ａ、３１２Ｂを特徴付ける一時停止タイミングパラメータ、である。
【００４４】
タイミング３１２Ａ、３１２Ｂは、一時停止期間３０８Ａ、３０８Ｂが開始するときの時間の瞬間に対応することができる。
【００４５】
一時停止パラメータは、一時停止がオフされて、ＨＳＤＰＡ接続が動作可能である期間３０６Ａ、３０６Ｂ、３０６Ｃの継続時間を、さらに特徴付けることができる。
【００４６】
一時停止パラメータは、一連の一時停止期間３０８Ａ、３０８Ｂの時間的特徴を、さらに表すことができる。そのような場合には、異なる一時停止期間３１０８Ａ、３０８Ｂの継続時間３１０Ａ、３１０Ｂは同一とすることができ、従って、単一の一時停止継続時間パラメータを使って、シーケンス内の複数の一時停止期間３０８Ａ、３０８Ｂを特徴付けることができる。その一連の一時停止期間３０８Ａ、３０８Ｂの使用は、一時停止タイミングパラメータによって引き起こされ、かつ時間の長さを決められることができ、その一時停止タイミングパラメータは、例えば、シーケンス内の第１の一時停止期間３０８Ａのタイミング３１２Ａを特徴付けることができる。一時停止期間３０８Ａ、３０８Ｂの継続時間３１０Ａ、３１０Ａは、５０ミリ秒から５００ミリ秒まで変化することができ、これに対して、動作可能ＨＳＤＰＡ期間３０４Ａ〜３０４Ｃの継続時間３０６Ａ、３０６Ｂ、３０６Ｃは、実施形態に依って、５０ミリ秒から１０００ミリ秒まで変化することができる。しかしながら、本解決策は、下記の図面に制限されるものではない。
【００４７】
一時停止期間３０８Ａ、３０８Ｂ、及びＨＳＤＰＡ接続のスタンバイ状態の既定の特徴は、例えばネットワークコントローラ１１０Ａ、１１０Ｂからの一時停止パラメータの信号送信が一時停止期間３０８Ａ、３０８Ｂ間で全く必要とされないように、一時停止パラメータの少なくとも一部分がユーザ装置１０４、基地局１１２Ａ〜１１２Ｄ、又はユーザ装置１０４及び基地局１１２Ａ〜１１２Ｄの両方に利用可能である、という事実に基づいている。一時停止パラメータを、前もって、基地局１１２Ａ〜１１２Ｄ、及び／又はユーザ装置においてプログラムすることもできる。
【００４８】
図４を参照すると、基地局４０２は、ＨＳＤＰＡ接続４１６によってデータパケットをユーザ装置４０４へ伝達するための伝達ユニット（ＣＵ１）４０６を含む。それに対応して、ユーザ装置４０４が、ＨＳＤＰＡ接続４１６によって基地局４０２からデータパケットを伝達するための伝達ユニット（ＣＵ２）４２６を含む。
【００４９】
伝達ユニット４０６、４２６は、Ｕｕインターフェース、及びＨＳ−ＤＰＣＣＨ、ＨＳ−ＰＤＳＣＨ、及びＨＳ−ＳＣＣＨを含むＨＳＤＰＡチャネル構造の実装、を提供する。さらに、伝達ユニット４０６、４２６は、ＡＭＣ手順、ＨＡＲＱ手順、及び関連する信号送信、のようなＨＳＤＰＡ伝達手段を実施する。
【００５０】
さらに図４を参照すると、無線ネットワークコントローラ４００は、ＨＳＤＰＡ接続４１６をスタンバイ状態に維持しながら、一時停止パラメータ４５０を持つ複数の既定の一時停止期間３０８Ａ、３０８Ｂにおいて、ＨＳＤＰＡ接続４１６の一時停止を制御するための一時停止制御ユニット（ＳＣＵ）４４８、を含む。
【００５１】
一時停止パラメータ４５０は、基地局４０２への一時停止パラメータ４５２、４５４の信号送信を実施する信号送信ユニット４４６、へ伝達される。
【００５２】
一時停止制御ユニット４４８は、無線ネットワークコントローラ４００のデジタルコンピュータにおいて実施することのできるコンピュータプログラムによって、実装することができる。
【００５３】
本発明の実施形態では、一時停止パラメータ４５０が、一時停止制御ユニット４４８において生成され、信号送信ユニット４４６へ配信される。
【００５４】
基地局４０２はさらに、接続一時停止ユニット４０８に接続された一時停止パラメータ生成ユニット（ＳＰＧＵ）４１０、を含むことができる。一時停止パラメータ生成ユニット４１０は、一時停止パラメータ４２２を生成し、その一時停止パラメータ４２２を、接続一時停止ユニット４０８へ配信することができる。
【００５５】
基地局４０２の一時停止パラメータ生成ユニット４１０は、デジタルコンピュータ、及びコンピュータプログラムによって実装することができる。
【００５６】
本発明の実施形態では、基地局４０２とのＨＳＤＰＡ接続４１６を要求するユーザ装置セット４０４の数に基づいて、一時停止パラメータ４５２、４５４が生成される。ＨＳＤＰＡ接続４１６を要求するユーザ装置セット４０４の数が増大するにつれて、基地局４０２の容量制限を越え得る。そのような場合には、幾つかのＨＳＤＰＡ接続４１６を一時停止し、それにより、より多くのＨＳＤＰＡ接続の確立を可能にすることができる。結果として、ＨＳＤＰＡサービスの全体の利用可能性が改善される。
【００５７】
本発明の実施形態では、一時停止パラメータ４１０、４５２、４５４が、過度のＨＳ−ＤＰＣＣＨ信号送信の結果として生じうる、アップリンク内の干渉負荷に基づいて、生成される。例えば、多数のユーザ装置セット４０４の作動中のＤＰＣＣＨ、及び／又はＤＰＤＣＨにより、ＨＳＤＰＡ能力を持つセルのアップリンクが既に高負荷をかけられており、かつ多数のユーザ装置セット４０４が同時にＨＳ−ＤＰＣＣＨを送信した場合には、このようなケースが起こり得る。各ＨＳ−ＤＯＣＣＨの伝送は、アップリンク容量のうちのそれ自身の分け前を要求し、従って、アップリンクの負荷全体を増大する。
【００５８】
本発明の実施形態では、ユーザ装置のセット４０４の幾つかがセルの端に配置され、基地局４０２において充分な受信信号レベルを提供するために、高い伝送電力を必要とする。例えば、ユーザデータ伝送、又はＲＲＣ（無線リソース制御）信号送信のような、無線ネットワークコントローラ４００への首尾よいアップリンクデータ伝送を可能にするために、アップリンクＤＰＣＣＨ、及び／又はＤＰＤＣＨ伝送に利用可能な充分な伝送電力を持つことが有益であるとすることができる。ＨＳ−ＤＰＣＣＨが伝送されているとき、それは、ユーザ装置４０４で利用可能な伝送電力リソースの分け前を必要とし、従って、ＤＰＣＣＨ、及び／又はＤＰＤＣＨのために利用可能な可能性のある伝送電力が減少する。電力の制限された状況では、ＨＳ−ＤＰＣＣＨが伝送されている場合には、１又はそれ以上のアップリンクチャネル、ＤＰＣＣＨ、ＤＰＤＣＨ、又はＨＳ−ＤＰＣＣＨに、基地局４０２における高信頼の受信のための充分な電力が割り当てられることが、可能である。従って、期間３０８Ａ、３０８Ｂのような、その間にアップリンクにおいてＨＳ−ＤＰＣＣＨが伝送されない期間を導入することにより、アップリンクＤＰＣＣＨ、及び／又はＤＰＤＣＨに、大量の電力を割り当てることができる。更には、これは、例えば、ユーザ装置４０４が電力の制限された状況にあるときでさえも、無線接続管理に必要なＲＲＣ信号送信が、それを成し遂げるより良い確率を有することを、確実にする。
【００５９】
ユーザ装置４０４において、基地局４０２において、又は、ユーザ装置４０４及び基地局４０２の両方において、ＨＳＤＰＡ接続４１６を一時停止させることができる。
【００６０】
本発明の側面として、ユーザ装置４０４が、ＨＳＤＰＡ接続４１６をスタンバイ状態に維持しながら、既定の一時停止期間３０８Ａ、３０８Ｂにおいて、ＨＳＤＰＡ接続４１６を一時停止するための接続一時停止ユニット（ＣＳＵ２）４２８、を含む。
【００６１】
接続一時停止ユニット４２８は、一時停止パラメータを含み、伝達ユニット４２６へ制御信号４３４を伝送する。制御信号４３４は、一時停止期間３０８Ａ、３０８ＢにおいてＨＳＤＰＡ接続４１６を一時停止させるための命令、を搬送する。
【００６２】
接続一時停止ユニット４２８は、例えば、ユーザ装置４０４のデジタルコンピュータ、及びコンピュータプログラムによって実装することができる。
【００６３】
本発明の側面として、基地局４０２が、ＨＳＤＰＡ接続４１６をスタンバイ状態に維持しながら、複数の既定の一時停止期間３０８Ａ、３０８ＢにＨＳＤＰＡ接続４１６を一時停止するための、伝達ユニット４０６に接続された接続一時停止ユニット（ＣＳＵ１）４０８、を含む。
【００６４】
接続一時停止ユニット４０８は、一時停止パラメータを含み、制御信号４１８を伝達ユニット４０６へ伝送する。制御信号４１８は、一時停止期間３０８Ａ、３０８ＢにおいてＨＳＤＰＡ接続４１６を一時停止させるための命令を、搬送する。
【００６５】
接続一時停止ユニット４０８は、例えば、基地局４０２のデジタルコンピュータ、及びコンピュータプログラムによって実装することができる。
【００６６】
一時停止パラメータは、ユーザ装置４０４、及び基地局４０２において同期法でＨＳＤＰＡ接続４１６を一時停止させるための命令、を含むことができる。そのような場合、ユーザ装置４０２、及び基地局４０２の両方とも、図３に示すような、ＨＳＤＰＡ接続４１６の送信／受信における一時停止期間を実装することができる。
【００６７】
ユーザ装置４０４、及び基地局４０２における一時停止手順の同期は、例えば、無線伝送において必要な一般的な同期情報に基づくとすることができる。
【００６８】
本発明の実施形態では、一時停止パラメータ４５４は、基地局４０２の伝達ユニット４０６に信号送信され、それは、ＨＳＤＰＡ接続４１６のＨＳ−ＳＣＣＨのようなダウンリンクチャネルを使うことにより、その一時停止パラメータ４５４を、ユーザ装置４０４の伝達ユニット４２６に配信する。
【００６９】
ユーザ装置４０４の伝達ユニット４２６は、その一時停止パラメータを、ユーザ装置４０４の接続一時停止ユニット４２８に配信する。
【００７０】
ＨＳＤＰＡ接続４１６の一時停止を、一時停止パラメータ４５４に基づいて、作動させる、及びことによると、非作動させることができる。
【００７１】
本発明の実施形態では、例えば、ＮＢＡＰ（ノードＢのアプリケーション部）信号送信を使用することにより、一時停止パラメータ４５２を、基地局４０２の接続一時停止ユニット４０８へ信号送信する。
【００７２】
一時停止パラメータ４５２に基づいて、ＨＳＤＰＡ接続４１６の一時停止を、作動させる、及びことによると、非作動させることができる。
【００７３】
本発明の実施形態では、ユーザ装置４０４は、接続一時停止ユニット４２８に接続された格納ユニット（ＳＴＵ２）４３２を含む。格納ユニット４３２は、一時停止パラメータ４３０を格納し、それらは、ＨＳＤＰＡ接続４１６の一時停止を起動させるとき、接続一時停止ユニット４２８で使用されることができる。格納ユニット４３２は、ランダムアクセスメモリのようなメモリ手段によって、実装することができる。
【００７４】
本発明の実施形態では、基地局４０２が、接続一時停止ユニット４０８に接続された格納ユニット（ＳＴＵ１）４１２を含む。格納ユニット４１２は、一時停止パラメータ４２４を格納し、それらは、ＨＳＤＰＡ接続４１６の一時停止を起動するとき、接続一時停止ユニット４０８によって使用されることができる。格納ユニット４１２は、ランダムアクセスメモリのようなメモリ手段によって、実装することができる。
【００７５】
無線ネットワークコントローラ４００の一時停止制御ユニット４４８は、起動信号４５６を生成することができ、それは、基地局４０２の接続一時停止ユニット４０８に配信される。起動信号４５６は明示的に、ＨＳＤＰＡ接続４１６の一時停止を起動することができる、或いはタイミングのような、一時停止を開始するための命令を含むことができる。起動の結果として、一時停止ユニット４０８は、格納ユニット４１２から一時停止パラメータ４２４を検索することができる。
【００７６】
基地局４０２の接続一時停止ユニット４２８は、起動信号４５２を受信し、ＨＳＤＰＡ接続４１６を一時停止させるために、制御信号４１８を伝達ユニット４０６へ伝送するように起動する。
【００７７】
無線ネットワークコントローラ４００の一時停止制御ユニット４４８はまた、起動信号４５８を生成することができ、それは、ＨＳＤＰＡ接続４１６のＨＳ−ＳＣＣＨのような信号送信チャネルを介して、ユーザ装置４０４の接続一時停止ユニット４２８へ配信される。起動信号４５８は明示的に、ＨＳＤＰＡ接続４１６の一時停止を起動させることができる、或いはタイミングのような、一時停止を開始させるための命令を含むことができる。起動の結果として、一時停止ユニット４２８は、一時停止パラメータ４３０を格納ユニット４３２から検索することができる。
【００７８】
基地局４０２の接続一時停止ユニット４０８は、起動信号４５８を受信し、ＨＳＤＰＡ接続４１６を一時停止させるために、制御信号４３４を伝達ユニット４２６へ伝送するように起動する。
【００７９】
格納ユニット４１２、４３２、及び起動信号４５６、４５８は、ＨＳＤＰＡ接続の実際の一時停止の実施より前に、一時停止パラメータ４５２、４５４を接続一時停止ユニット４０８、４２８へ配信することを可能にし、従って、一時停止パラメータ４５２、４５４の信号送信のタイミングの柔軟性を許す。さらに、一時停止パラメータ４５２、４５４を使って、長期間の間、ＨＳＤＰＡ接続４１６の一時停止を実施することができ、従って、接続一時停止ユニット４０８、４２８へ一時停止命令を連続的に配信する必要性を減らすことができる。
【００８０】
起動信号４５６、４５８は、ＨＳＤＰＡ接続４１６の一時停止を、所望の瞬間において複数の一時停止期間３０８Ａ、３０８Ｂで実施することを可能にし、従って、ＨＳＤＰＡ接続の一時停止を実施する時を選択するための柔軟性を提供する。
【００８１】
実施形態に依って、様々な手法で、ＨＳＤＰＡ接続４１６の一時停止を実装することができる。
【００８２】
本発明の実施形態では、接続一時停止ユニット４２８が、制御信号４３４を生成し、それは、複数の既定の一時停止期間３０８Ａ、３０８Ｂにおいて、アップリンクにおけるＣＱＩの伝送を一時停止させるための命令を含む。ＣＱＩの伝送の一時停止は、スケジューラにおける古くなったＣＱＩ値の使用、という結果となり得る。古くなったＣＱＩ値の使用は、いくつかの状況では、一時停止、又は少なくともユーザ装置１０２をスケジュール設定する際の複雑化を引き起こし、従って、ＨＳ−ＤＰＳＣＨの伝送の一時停止を引き起こす。幾つかの用途では、基地局スケジューラ内のユーザ装置４０４から入手可能な最新のＣＱＩが、約数十ミリ秒とすることのできる実装専用の時間間隔よりも古い場合には、スケジューリングからユーザ装置４０４を削除することが有益であろう。
【００８３】
無線ネットワークコントローラ４００から信号送信された一時停止パラメータ４５４、又は起動信号４５８は、アップリンクにおいて信号送信されたＨＳ−ＤＰＣＣＨのフレーム構造からＣＱＩを取り除く命令、を含むことができる。しかしながら、応答メッセージ（ＡＣＫ／ＮＡＣＫ）の伝送は、まだ続行することができる。
【００８４】
各一時停止期間３０８Ａ、３０８Ｂの後、充分なチャネル品質を確実にするために、基地局４０２が、最初の高信頼ＣＱＩの受信後もＨＳ−ＤＰＳＣＨを伝送することを続行することが好ましい、ということに注目すべきである。
【００８５】
本発明の実施形態では、接続一時停止ユニット４２８が制御信号４３４を生成し、それは、複数の既定の一時停止期間３０８Ａ、３０８において、ＢにＨＳ−ＤＰＣＣＨの伝送を一時停止させるための命令を含む。
【００８６】
一時停止パラメータ４５４、又は起動信号４５８は、既定の一時停止期間３０８Ａ、３０８ＢにおいてＨＳ−ＤＰＣＣＨの伝送を取り消す命令、を含むことができる。ＨＳ−ＤＰＣＣＨの伝送の一時停止は、ＡＭＣ、及びＨＡＲＱに必要なフィードバック情報の不足という結果となり得り、基地局４０２のスケジューラは、ユーザ装置４０４をスケジュール設定することができないこともある。結果として、ＨＳ−ＰＤＳＣＨ、及びＨＳ−ＳＣＣＨのようなダウンリンクチャネルの伝送が、ほぼ一時停止期間３０８Ａ、３０８Ｂにおいて中断される。
【００８７】
ＨＳ−ＤＰＣＣＨの一時停止は、ＤＰＣＣＨのための無線リソースを解放し、従って、セルの有効範囲を生む。
【００８８】
本発明の実施形態では、接続一時停止ユニット４２８が制御信号４３４を生成し、それは、複数の既定の一時停止期間３０８Ａ、３０８ＢにおいてＨＳ−ＳＣＣＨの受信を一時停止させるための命令を含む。
【００８９】
無線ネットワークコントローラ４００から信号送信された一時停止パラメータ４５４、又は起動信号４５８は、既定の一時停止期間３０８Ａ、３０８ＢにおいてＨＳ−ＳＣＣＨの受信を取り消すための命令、を含むことができる。ＨＳ−ＳＣＣＨ符号チャネルのトラッキングを中断し、ＨＳ−ＳＣＣＨデータの処理を中断することにより、ユーザ装置４０２、１０２の受信機において、ＨＳ−ＳＣＣＨの受信の一時停止を実現することができる。データパケットが１又は数個のＨＳ−ＰＤＳＣＨ符号で受信される場合には、ＨＳ−ＳＣＣＨが、ユーザ装置４０２に知らせ、変調及び符号化と関連付けられるようなデータパケット特徴を示して、ユーザ装置４０２がＨＳ―ＰＤＳＣＨ上のデータパケットを受信することを可能にする。ＨＳ−ＳＣＣＨの受信を一時停止した結果として、応答メッセージの伝送が中断される。
【００９０】
幾つかの実施形態では、基地局４０２において、ＨＳＤＰＡ接続４１６の一時停止が開始される。
【００９１】
本発明の実施形態では、基地局４０２の接続一時停止ユニット４０８が、制御信号４１８を生成し、それは、複数の既定の一時停止期間３０８Ａ、３０８ＢにおいてＨＳ−ＤＰＣＣＨの受信を一時停止させるための命令、を含む。
【００９２】
無線ネットワークコントローラ４００から信号送信された一時停止パラメータ４５２、又は起動信号４５６は、既定の一時停止期間３０８Ａ、３０８ＢにおいてＨＳ−ＤＰＣＣＨの受信を取り消す命令、を含むことができる。
【００９３】
ＨＳ−ＤＰＣＣＨの受信の一時停止は、ほぼ一時停止期間３０８Ａ、３０８Ｂにおける、ＣＱＩ及び応答メッセージの基地局４０２への配信の取り消しという結果となり得り、従って、ＨＳ−ＰＤＳＣＨを伝送する能力が無いという結果となり得る。
【００９４】
本発明の実施形態では、基地局４０２の接続一時停止ユニット４０８が、制御信号４１８を生成し、それは、複数の既定の一時停止期間３０８Ａ、３０８Ｂにおいて、ユーザ装置４０４へのデータパケットのスケジューリングを一時停止するための命令、を含む。
【００９５】
無線ネットワークコントローラ４００から信号送信された一時停止パラメータ４５２、又は起動信号４５６は、既定の一時停止期間３０８Ａ、３０８Ｂにおけるスケジューリングを取り消す命令、を含むことができる。スケジューリングを一時停止する結果として、ユーザ装置４０２によってデータパケットは全く受信されず、何の応答メッセージも生成及び伝送されない。
【００９６】
図５Ａを参照すると、本発明の実施形態では、５００において本方法が開始する。
【００９７】
５０２では、ＨＳ−ＰＤＳＣＨ、及びＨＳ−ＤＰＣＣＨを含むＨＳＤＰＡ接続４１６によって、データパケットが伝達される。
【００９８】
５０４では、ＨＳＤＰＡ接続４１６をスタンバイ状態に維持しながら、複数の既定の一時停止期間３０８Ａ、３０８Ｂにおいて、ＨＳＤＰＡ接続４１６が一時停止される。
【００９９】
５０６において、本方法が終了する。
【０１００】
図５Ｂを参照すると、本発明の実施形態では、５０８において本方法が開始する。
【０１０１】
５１０では、ＨＳ−ＰＤＳＣＨ、及びＨＳ−ＤＰＣＣＨを含むＨＳＤＰＡ接続４１６によって、データパケットが伝達される。
【０１０２】
５１２では、ＨＳ−ＤＰＣＣＨをスタンバイ状態に維持しながら、既定の期間３０８Ａ、３０８Ｂにおいて、ＨＳ−ＤＰＣＣＨの伝送が一時停止される。
【０１０３】
５１４において、本方法が終了する。
【０１０４】
図６を参照すると、本発明の実施形態では、６００において本方法が開始する。
【０１０５】
６０２では、ＨＳ−ＰＤＳＣＨ、及びＨＳ−ＤＰＣＣＨを含むＨＳＤＰＡ接続４１６によって、データパケットが伝達される。
【０１０６】
６０４では、少なくとも１つの格納された一時停止継続時間パラメータ４２４、４３０を使用するかどうかの決定がなされる。
【０１０７】
少なくとも１つの格納された一時停止パラメータ４２４、４３０が使用されない場合には、６０８において、複数の一時停止期間３０８Ａ、３０８Ｂの時間的特徴を特徴付ける、少なくとも１つの一時停止パラメータ４５２、４５４が信号送信され、６１０において、少なくとも１つの一時停止パラメータに基づいて、ＨＳＤＰＡ接続４１６が一時停止される。
【０１０８】
少なくとも１つの格納された一時停止パラメータ４２４、４３０が使用された場合には、６１４においてＨＳＤＰＡ接続４１６の一時停止を起動するために、起動信号４５６、４５８が信号送信される。６１４では、ＨＳＤＰＡ接続４１６の一時停止が起動される。６１６では、少なくとも１つの格納された一時停止パラメータ４５２、４５４に基づいて、複数の期間３０８Ａ、３０８Ｂにおいて、ＨＳＤＰＡ接続４１６が一時停止される。
【０１０９】
６１８において、本方法は終了する。
【０１１０】
図６を参照すると、本発明の実施形態では、７００において本方法が開始する。
【０１１１】
７０２では、ＨＳ−ＰＤＳＣＨ、及びＨＳ−ＤＰＣＣＨを含むＨＳＤＰＡ接続４１６によって、データパケットが伝達される。
【０１１２】
７０４では、複数の既定の一時停止期間３０８Ａ、３０８Ｂにおいて、チャネル品質指示子の伝送が、アップリンクにおいて一時停止される。
【０１１３】
７０６では、ＨＳ−ＤＰＣＣＨをスタンバイ状態に維持しながら、複数の既定の一時停止期間３０８Ａ、３０８Ｂにおいて、ＨＳ−ＤＰＣＣＨの伝送が一時停止される。
【０１１４】
７０８では、ＨＳ−ＤＰＣＣＨをスタンバイ状態に維持しながら、複数の既定の一時停止期間３０８Ａ、３０８Ｂにおいて、ＨＳ−ＤＰＣＣＨの受信が一時停止される。
【０１１５】
７１０では、複数の既定の一時停止期間３０８Ａ、３０８Ｂにおいて、ユーザ装置へのデータパケットのスケジューリングが一時停止される。
【０１１６】
７１２では、ＨＳ−ＳＣＣＨをスタンバイ状態に維持しながら、複数の既定の一時停止期間３０８Ａ、３０８Ｂにおいて、ＨＳ−ＳＣＣＨの受信が一時停止される。
【０１１７】
７１４において、本方法は終了する。
【０１１８】
本方法のステップ７０４〜７１２の相対的な順序は、実装に依って変わり得る。チャネル、及フィードバック情報のような、ＨＳＤＰＡ接続４１６において利用される様々なな要素の因果関係のため、本方法のステップ７０４〜７１２の１つのステップの実施が、本方法のステップ７０４〜７１２の他のステップの実施を引き起こすことが可能である。
【０１１９】
幾つかの側面により、本発明は、コンピュータ処理を実施するためのコンピュータプログラムを提供し、その実施形態を、図５Ａ、５Ｂ、６、及び７と組合せて示し、説明する。
【０１２０】
無線ネットワークコントローラ４００、基地局４０２、及びユーザ装置４０４内に配置されたデジタルプロセッサ、及びメモリ手段によって、そのコンピュータプログラムを実装することができる。
【０１２１】
そのコンピュータプログラムは、ＣＤ（コンパクトディスク）、ハードドライブ、フロッピーディスク、及び携帯メモリユニット、のようなデータ運搬体に格納することができる。さらに、そのコンピュータプログラムは、インターネットのようなデータネットワーク内の電気信号によって転送することができる。
【０１２２】
添付図面による例を参照して、本発明を上記で説明したが、本発明は、それに制限されるものではなく、添付の特許請求の範囲の技術的範囲内で、幾つかの方法で変更することができることが明らかである。
【図面の簡単な説明】
【０１２３】
【図１】無線電気通信システムの構造の例を示している。
【図２】ＨＳＤＰＡ接続の要素を示している。
【図３】ＨＳＤＰＡ接続の時間構造を示している。
【図４】無線ネットワークコントローラの構造、基地局の構造、及びユーザ装置の構造、の例を示している。
【図５Ａ】本発明の実施形態による方法の第１の例を示している。
【図５Ｂ】本発明の実施形態による方法の第２の例を示している。
【図６】本発明の実施形態による方法の第３の例を示している。
【図７】本発明の実施形態による方法の第４の例を示している。
【図１】
2007527165.tif 000003
【図２】
2007527165.tif 000004
【図３】
2007527165.tif 000005
【図４】
2007527165.tif 000006
【図５Ａ】
2007527165.tif 000007
【図５Ｂ】
2007527165.tif 000008
【図６】
2007527165.tif 000009
【図７】
2007527165.tif 000010
【国際調査報告】
2007527165.tif 000011
2007527165.tif 000012
2007527165.tif 000013